(57)【要約】【課題】既存サービスピリオドと候補サービスピリオドとの間の空間共有を行うためのＰＣＰ／ＡＰ装置を提供する。【解決手段】本開示のＰＣＰ／ＡＰ装置は、第２階層チャネルに含まれるプライマリ第１階層及びセカンダリ第１階層チャネルの各々のチャネル品質の測定を要求する測定リクエストメッセージを生成する測定リクエスト生成部と、測定リクエストメッセージを候補サービスピリオドに含まれる端末に送信する送信部と、チャネル品質の測定結果を受信する受信部と、受信した測定結果に基づいて、既存サービスピリオドと候補サービスピリオドとの空間共有を行うか否かを決定するスケジューラとを含む。上記測定リクエストメッセージは、複数のＲＸアンテナ構成を用いて測定されるチャネル品質の測定結果の報告方法を示す測定設定フィールドを含む。【選択図】図２５
2020043606.tif 000002
【特許請求の範囲】
【請求項１】
第１端末及び第２端末が属するプライマリ第１階層チャネルにおける既存サービスピリオドと、前記プライマリ第１階層チャネル及びセカンダリ第１階層チャネルを含み、第３端末及び第４端末が属する第２階層チャネルにおいて、前記既存サービスピリオドと時間的に少なくとも一部重なるようにスケジュールされる候補サービスピリオドと、を空間共有する場合に、前記第３端末及び前記第４端末に対して、前記第２階層チャネルに含まれる前記プライマリ第１階層チャネル及び前記セカンダリ第１階層チャネルの各々に関するチャネル品質の測定を要求する測定リクエストメッセージを生成し、前記測定リクエストメッセージは、複数のＲＸアンテナ構成を用いて測定される前記チャネル品質の測定結果の報告方法を示す測定設定フィールドを含む、測定リクエスト生成部と、
前記測定リクエストメッセージを前記第３端末及び前記第４端末に送信する送信部と、
前記第３端末及び前記第４端末から、前記第２階層チャネルに含まれる前記プライマリ第１階層チャネル及び前記セカンダリ第１階層チャネルの各々に関するチャネル品質の測定結果を受信する受信部と、
前記受信した測定結果に基づいて、前記既存サービスピリオドと前記候補サービスピリオドとの空間共有を行うか否かを決定するスケジューラと、
を含み、
前記チャネル品質の測定結果の報告方法は、前記複数のＲＸアンテナ構成による測定結果をアンテナごとに報告する第１の方法と、前記複数のＲＸアンテナ構成による測定結果の平均を報告する第２の方法とを含む、
ＰＣＰ／ＡＰ装置。
【請求項２】
前記受信部は、前記測定設定フィールドの値が前記第１の方法を示す場合は、前記複数のＲＸアンテナ構成による測定結果のアンテナごとの報告を受信し、前記測定設定フィールドの値が前記第２の方法を示す場合は、前記複数のＲＸアンテナ構成による測定結果の平均を受信する、
請求項１記載のＰＣＰ／ＡＰ装置。
【請求項３】
前記スケジューラが、前記既存サービスピリオドと前記候補サービスピリオドとの空間共有を確立すると決定した場合は、前記第２階層チャネルを前記第３端末及び前記第４端末に割り当てる、
請求項１又は２記載のＰＣＰ／ＡＰ装置。
【請求項４】
ＰＣＰ／ＡＰ装置より、複数のＲＸアンテナ構成を用いて測定されるチャネル品質の測定結果の報告方法を示す測定設定フィールドを含む測定リクエストメッセージを受信する受信部と、
前記測定リクエストメッセージに応じて、プライマリ第１階層チャネル及びセカンダリ第１階層チャネルを含む第２階層チャネルにおいて、前記プライマリ第１階層チャネルにおける既存サービスピリオドと時間的に少なくとも一部重なるようにスケジュールされる候補サービスピリオドに属する通信相手である他の端末装置に対して、前記第２階層チャネルに含まれる前記プライマリ第１階層チャネル及び前記セカンダリ第１階層チャネルの各々に関するチャネル品質の測定を行うＰＨＹ部と、
前記測定の結果を前記ＰＣＰ／ＡＰ装置に送信する送信部と、を含む、
端末装置であって、
前記チャネル品質の測定結果の報告方法は、前記複数のＲＸアンテナ構成による測定結果をアンテナごとに報告する第１の方法と、前記複数のＲＸアンテナ構成による測定結果の平均を報告する第２の方法とを含む、
前記測定リクエストメッセージは、
第１端末及び第２端末が属する前記プライマリ第１階層チャネルにおける既存サービスピリオドと、前記候補サービスピリオドと、を空間共有する場合に、
前記第２階層チャネルに含まれる各チャネルに関する測定を要求するメッセージである、
端末装置。
【請求項５】
前記送信部は、前記測定設定フィールドの値が前記第１の方法を示す場合は、前記複数のＲＸアンテナ構成による測定結果のアンテナごとの報告を送信し、前記測定設定フィールドの値が前記第２の方法を示す場合は、前記複数のＲＸアンテナ構成による測定結果の平均を送信し、
請求項４記載の端末装置。
【請求項６】
第１端末及び第２端末が属するプライマリ第１階層チャネルにおける既存サービスピリオドと、前記プライマリ第１階層チャネル及びセカンダリ第１階層チャネルを含み、第３端末及び第４端末が属する第２階層チャネルにおいて、前記既存サービスピリオドと時間的に少なくとも一部重なるようにスケジュールされる候補サービスピリオドと、を空間共有する場合に、前記第３端末及び前記第４端末に対して、前記第２階層チャネルに含まれる前記プライマリ第１階層チャネル及び前記セカンダリ第１階層チャネルの各々に関するチャネル品質の測定を要求する測定リクエストメッセージを生成し、前記測定リクエストメッセージは、複数のＲＸアンテナ構成を用いて測定される前記チャネル品質の測定結果の報告方法を示す測定設定フィールドを含み、
前記測定リクエストメッセージを前記第３端末及び前記第４端末に送信し、
前記第３端末及び前記第４端末から、前記第２階層チャネルに含まれる前記プライマリ第１階層チャネル及び前記セカンダリ第１階層チャネルの各々に関するチャネル品質の測定結果を受信し、
前記受信した測定結果に基づいて、前記既存サービスピリオドと前記候補サービスピリオドとの空間共有を行うか否かを決定し、
前記チャネル品質の測定結果の報告方法は、前記複数のＲＸアンテナ構成による測定結果をアンテナごとに報告する第１の方法と、前記複数のＲＸアンテナ構成による測定結果の平均を報告する第２の方法とを含む、
ＰＣＰ／ＡＰ装置の通信方法。
【請求項７】
前記測定設定フィールドの値が前記第１の方法を示す場合は、前記複数のＲＸアンテナ構成による測定結果のアンテナごとの報告を受信し、前記測定設定フィールドの値が前記第２の方法を示す場合は、前記複数のＲＸアンテナ構成による測定結果の平均を受信する、
請求項６記載のＰＣＰ／ＡＰ装置の通信方法。
【請求項８】
ＰＣＰ／ＡＰ装置より、複数のＲＸアンテナ構成を用いて測定されるチャネル品質の測定結果の報告方法を示す測定設定フィールドを含む測定リクエストメッセージを受信し、
前記測定リクエストメッセージに応じて、プライマリ第１階層チャネル及びセカンダリ第１階層チャネルを含む第２階層チャネルにおいて、前記プライマリ第１階層チャネルにおける既存サービスピリオドと時間的に少なくとも一部重なるようにスケジュールされる候補サービスピリオドに属する通信相手である他の端末装置に対して、前記第２階層チャネルに含まれる前記プライマリ第１階層チャネル及び前記セカンダリ第１階層チャネルの各々に関するチャネル品質の測定を行い、
前記測定の結果を前記ＰＣＰ／ＡＰ装置に送信する、
端末装置の通信方法であって、
前記チャネル品質の測定結果の報告方法は、前記複数のＲＸアンテナ構成による測定結果をアンテナごとに報告する第１の方法と、前記複数のＲＸアンテナ構成による測定結果の平均を報告する第２の方法とを含み、
前記測定リクエストメッセージは、
第１端末及び第２端末が属する前記プライマリ第１階層チャネルにおける既存サービスピリオドと、前記候補サービスピリオドと、を空間共有する場合に、
前記第２階層チャネルに含まれる前記プライマリ第１階層チャネル及び前記セカンダリ第１階層チャネルの各々に関する測定を要求するメッセージである、
端末装置の通信方法。
【請求項９】
前記測定設定フィールドの値が前記第１の方法を示す場合は、前記複数のＲＸアンテナ構成による測定結果のアンテナごとの報告を送信し、前記測定設定フィールドの値が前記第２の方法を示す場合は、前記複数のＲＸアンテナ構成による測定結果の平均を送信する、
請求項８記載の端末装置の通信方法。
【発明の詳細な説明】
【技術分野】
【０００１】
本開示は、一般に、ワイヤレス通信に関し、より詳しくは、指向性ＷＬＡＮ（ワイヤレスローカルエリアネットワーク：Ｗｉｒｅｌｅｓｓ  Ｌｏｃａｌ  Ａｒｅａ  Ｎｅｔｗｏｒｋ）システムにおいて空間共有（Ｓｐａｔｉａｌ  Ｓｈａｒｉｎｇ：ＳＰＳＨ）を確立するための方法に関する。
【背景技術】
【０００２】
ライセンス不要な６０ＧＨｚｍｍＷ（ミリメートル波：Ｍｉｌｌｉｍｅｔｅｒ  Ｗａｖｅ）ネットワークへの関心が増加している。ＷｉｒｅｌｅｓｓＨＤ技術は、民生用電子機器、パーソナルコンピュータおよび携帯製品の間における、高精細オーディオ、ビデオおよびデータのマルチギガビットワイヤレスストリーミングを可能にする業界初の６０ＧＨｚｍｍＷ規格である。６０ＧＨｚｍｍＷ周波数帯域において動作する別のマルチギガビットワイヤレス通信技術には、ＷｉＧｉｇ技術があり、ＩＥＥＥ（米国電気電子学会：Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）によってＩＥＥＥ８０２．１１ａｄ規格として規格化された。
【０００３】
ＷｉＧｉｇ技術は、ＩＥＥＥ８０２．１１  ＭＡＣ（媒体アクセス制御：Ｍｅｄｉａ  Ａｃｃｅｓｓ  Ｃｏｎｔｒｏｌ）層を補完かつ拡張し、ＩＥＥＥ８０２．１１  ＷＬＡＮ規格と後方互換性がある。ＷｉＧｉｇ  ＭＡＣは、インフラストラクチャＢＳＳ（基本サービスセット：Ｂａｓｉｃ  Ｓｅｒｖｉｃｅ  Ｓｅｔ）またはＰＢＳＳ（パーソナルＢＳＳ：Ｐｅｒｓｏｎａｌ  ＢＳＳ）のような集中型ネットワークアーキテクチャをサポートし、これらのアーキテクチャでは、ネットワークにおける全てのＳＴＡ（ステーション：Ｓｔａｔｉｏｎ）を同期させるために、中央コーディネータ、例えば、ＡＰ（アクセスポイント：Ａｃｃｅｓｓ  Ｐｏｉｎｔ）またはＰＣＰ（パーソナルＢＳＳ制御ポイント：Ｐｅｒｓｏｎａｌ  ＢＳＳ  Ｃｏｎｔｒｏｌ  Ｐｏｉｎｔ）がビーコンを送信する。２．４ＧＨｚまたは５ＧＨｚ周波数帯域において動作する他のＩＥＥＥ８０２．１１  ＷＬＡＮ技術よりも、ＷｉＧｉｇ技術が指向性送信を確立するためにＢＦ（ビーム形成：Ｂｅａｍｆｏｒｍｉｎｇ）を広く利用する。
【先行技術文献】
【非特許文献】
【０００４】
【非特許文献１】ＩＥＥＥ規格８０２．１１ａｄ（商標）−２０１２，２０１２年１２月
【発明の概要】
【発明が解決しようとする課題】
【０００５】
先行技術においては、チャネルボンディングおよびＭＩＭＯを用いて最適なＳＰＳＨを実行することが難しい。
【課題を解決するための手段】
【０００６】
本開示のＰＣＰ／ＡＰ装置は、第１端末及び第２端末が属するプライマリ第１階層チャネルにおける既存サービスピリオドと、プライマリ第１階層チャネル及びセカンダリ第１階層チャネルを含み、第３端末及び第４端末が属する第２階層チャネルにおいて、既存サービスピリオドと時間的に少なくとも一部重なるようにスケジュールされる候補サービスピリオドと、を空間共有する場合に、第３端末及び第４端末に対して、第２階層チャネルに含まれるプライマリ第１階層チャネル及びセカンダリ第１階層チャネルの各々に関するチャネル品質の測定を要求する測定リクエストメッセージを生成し、測定リクエストメッセージは、複数のＲＸアンテナ構成を用いて測定され記チャネル品質の測定結果の報告方法を示す測定設定フィールドを含む、測定リクエスト生成部と、測定リクエストメッセージを第３端末及び第４端末に送信する送信部と、第３端末及び第４端末から、第２階層チャネルに含まれるプライマリ第１階層チャネル及びセカンダリ第１階層チャネルの各々に関するチャネル品質の測定結果を受信する受信部と、受信した測定結果に基づいて、既存サービスピリオドと候補サービスピリオドとの空間共有を行うか否かを決定するスケジューラと、を含み、チャネル品質の測定結果の報告方法は、複数のＲＸアンテナ構成による測定結果をアンテナごとに報告する第１の方法と、複数のＲＸアンテナ構成による測定結果の平均を報告する第２の方法とを含む。
【発明の効果】
【０００７】
本発明は、チャネルボンディング（Ｃｈａｎｎｅｌ  Ｂｏｎｄｉｎｇ）およびＭＩＭＯを用いて最適なＳＰＳＨを実行できる。
【図面の簡単な説明】
【０００８】
【図１】６０ＧＨｚｍｍＷ周波数帯域における単一階層チャネル化の例を説明した図
【図２】単一階層チャネル化に基づく集中型ＷｉＧｉｇネットワークの例を説明した図
【図３】単一階層チャネル化に基づく集中型ＷｉＧｉｇネットワークにおけるＰＣＰ／ＡＰのアーキテクチャの例を説明したブロック図
【図４】単一階層チャネル化に基づく集中型ＷｉＧｉｇネットワークにおけるＳＴＡのアーキテクチャの例を説明したブロック図
【図５】単一階層チャネル化に基づくＢＩ内のチャネルアクセス期間を説明した図
【図６】単一階層チャネル化に基づくＢＩ内の２つのＳＰの間のＳＰＳＨシナリオの例を説明した図
【図７】先行技術による既存ＳＰと候補ＳＰとの間のＳＰＳＨを確立するための方法を説明したフローチャート
【図８】先行技術の方法によるＳＰＳＨに関わるＰＣＰ／ＡＰとＳＴＡとの間のメッセージ交換を説明した図
【図９】先行技術の方法による既存ＳＰと候補ＳＰとの間のＳＰＳＨ評価を説明した図
【図１０】先行技術の方法による測定リクエストメッセージのフォーマットの例を説明した図
【図１１】先行技術の方法による測定レポートメッセージのフォーマットの例を説明した図
【図１２】６０ＧＨｚｍｍＷ周波数帯域における２階層チャネル化の例を説明した図
【図１３】２階層チャネル化に基づく集中型ＷｉＧｉｇネットワークの例を説明した図
【図１４】２つのＳＴＡの間のＭＩＭＯ送信を説明した図
【図１５】２階層チャネル化に基づく集中型ＷｉＧｉｇネットワークにおけるＰＣＰ／ＡＰのアーキテクチャの例を説明したブロック図
【図１６】２階層チャネル化に基づく集中型ＷｉＧｉｇネットワークにおけるＳＴＡのアーキテクチャの例を説明したブロック図
【図１７】２階層チャネル化に基づくＢＩ内の２つのＳＰの間のＳＰＳＨシナリオを説明した図
【図１８】本開示の第１の実施形態による既存ＳＰと候補ＳＰとの間のＳＰＳＨを確立するための方法を説明したフローチャート
【図１９】本開示の第１の実施形態によるＳＰＳＨに関わるＰＣＰ／ＡＰとＳＴＡとの間のメッセージ交換を説明した図
【図２０】本開示の第１の実施形態による既存ＳＰと候補ＳＰとの間のＳＰＳＨ評価を説明した図
【図２１】本開示の第１の実施形態による測定リクエストメッセージのフォーマットの例を説明した図
【図２２】本開示の第１の実施形態による測定レポートメッセージのフォーマットの例を説明した図
【図２３】本開示の第１の実施形態による拡張された測定レポート部分要素のフォーマットの例を説明した図
【図２４】本開示の第２の実施形態による既存ＳＰと候補ＳＰとの間のＳＰＳＨを確立するための方法を説明したフローチャート
【図２５】本開示の第２の実施形態によるＳＰＳＨに関わるＰＣＰ／ＡＰとＳＴＡとの間のメッセージ交換を説明した図
【図２６】本開示の第２の実施形態による既存ＳＰと候補ＳＰとの間のＳＰＳＨ評価を説明した図
【図２７】本開示の第２の実施形態による測定リクエストメッセージのフォーマットの例を説明した図
【図２８】本開示の第２の実施形態による測定レポートメッセージのフォーマットの例を説明した図
【発明を実施するための形態】
【０００９】
図１は、６０ＧＨｚｍｍＷ周波数帯域をＣＢＷ（チャネル帯域幅：Ｃｈａｎｎｅｌ  Ｂａｎｄｗｉｄｔｈ）＝２．１６ＧＨｚをもつ４つのチャネルに分割する、６０ＧＨｚｍｍＷ周波数帯域における単一階層チャネル化の例を説明した図である。ＣＮ（チャネル番号：Ｃｈａｎｎｅｌ  Ｎｕｍｂｅｒ）＝１、２、３および４をもつチャネルは、それぞれ周波数５８．３２ＧＨｚ、６０．４８ＧＨｚ、６２．６４ＧＨｚおよび６４．８ＧＨｚを中心とする。
【００１０】
図２は、図１に示される単一階層チャネル化に基づく、集中型ＷｉＧｉｇネットワーク２００の例を説明した図である。集中型ＷｉＧｉｇネットワーク２００は、第１階層チャネルにおいて動作し、複数のＳＴＡ２０４およびＳＴＡ機能を同様に含んだＰＣＰ／ＡＰ２０２を備える。ＰＣＰ／ＡＰ２０２は、通信リンク２１２を通じてＳＴＡ２０４の１つ（例えば、２０４ｅ）と通信できる。ＳＴＡ２０４の１つ（例えば、２０４ｃ）は、通信リンク２１４を通じてＳＴＡ２０４の別の１つ（例えば、２０４ｄ）と直接に通信することもできる。
【００１１】
図３は、集中型ＷｉＧｉｇネットワーク２００におけるＰＣＰ／ＡＰ２０２のアーキテクチャの例を説明したブロック図である。ＰＣＰ／ＡＰ２０２は、コントローラ３０２、スケジューラ３０４、メッセージジェネレータ３０８、メッセージ演算部３０６、ＰＨＹ演算部３１０およびアンテナ３１２を備える。コントローラ３０２は、ＭＡＣプロトコルコントローラであり、一般的なＭＡＣプロトコル動作を制御する。スケジューラ３０４は、チャネルアクセス期間の割り当てをコントローラ３０２の制御の下でスケジュールする。メッセージジェネレータ３０８は、スケジューラ３０４からスケジューリング情報を受信して、対応する制御、データまたは管理メッセージ、例えば、ビーコンを生成し、これらのメッセージは、ＰＨＹ演算部３１０によるＰＨＹ（物理層：Ｐｈｙｓｉｃａｌ  Ｌａｙｅｒ）処理後にアンテナ３１２を通して送信される。アンテナ３１２は、単一素子アンテナ、アダプティブアンテナアレイ、またはビーム切り替え型アンテナであってもよい。一方、メッセージ演算部３０６は、複数のＳＴＡ２０４から受信されたメッセージを解析して、それらをコントローラ３０２へ供給する。
【００１２】
図４は、集中型ＷｉＧｉｇネットワーク２００におけるＳＴＡ２０４のアーキテクチャの例を説明したブロック図である。複数のＳＴＡ２０４のそれぞれは、コントローラ４０２、メッセージジェネレータ４０４、メッセージ演算部４０６、ＰＨＹ演算部４０８およびアンテナ４１０を備える。コントローラ４０２は、ＭＡＣプロトコルコントローラであり、一般的なＭＡＣプロトコル動作を制御する。メッセージジェネレータ４０４は、制御、データまたは管理メッセージをコントローラ４０２の制御の下で生成し、これらのメッセージは、ＰＨＹ演算部４０８によるＰＨＹ処理後にアンテナ４１０を通して送信される。一方、メッセージ演算部４０６は、ＰＣＰ／ＡＰ１０２から受信された制御、データまたは管理メッセージをコントローラ４０２の制御の下で解析して、それらをコントローラ４０２へ供給する。
【００１３】
図２に示されるＷｉＧｉｇネットワーク２００では、複数のＳＴＡ２０４によるチャネルアクセスがＢＩ（ビーコン間隔：Ｂｅａｃｏｎ  Ｉｎｔｅｒｖａｌ）の間に発生する。このチャネルアクセスは、ＰＣＰ／ＡＰ２０２によって生成され、ビーコンを用いてＳＴＡ２０４へ通信できるスケジュールを用いて調整される。ＳＴＡ２０４は、スケジューリング情報を受信して、スケジュールされた期間中にその期間に固有のアクセスルールを用いて媒体にアクセスする。
【００１４】
図５は、ＢＩ５００内のチャネルアクセス期間を説明した図である。ＢＩ５００は、３つのタイプのアクセス期間、すなわち、ＢＴＩ（ビーコン送信間隔：Ｂｅａｃｏｎ  Ｔｒａｎｓｍｉｓｓｉｏｎ  Ｉｎｔｅｒｖａｌ）５０２、ＡＴＩ（アナウンスメント送信間隔：Ａｎｎｏｕｎｃｅｍｅｎｔ  Ｔｒａｎｓｍｉｓｓｉｏｎ  Ｉｎｔｅｒｖａｌ）５０６およびＤＴＩ（データ転送間隔：Ｄａｔａ  Ｔｒａｎｓｆｅｒ  Ｉｎｔｅｒｖａｌ）５０８を備えてもよい。ＢＴＩ５０２は、ＰＣＰ／ＡＰ２０２が、複数のＳＴＡ２０４の送信カバレッジの全範囲に到達するためにアンテナ３１２の全てのセクタによる複数のビーコンの指向性送信を用いて、ＢＦトレーニングを行うアクセス期間である。ＡＴＩ５０６は、ＰＣＰ／ＡＰ２０２と複数のＳＴＡ２０４との間のリクエスト応答ベースの管理アクセス期間である。ＤＴＩ５０８では、複数のＳＴＡ２０４間、およびＰＣＰ／ＡＰ２０２と個別のＳＴＡ２０４との間でメッセージ交換が行われる。ＤＴＩ５０８は、さらに複数のアクセス期間、例えば、ＳＰ（サービス期間：Ｓｅｒｖｉｃｅ  Ｐｅｒｉｏｄ）５１０およびＣＢＡＰ（競合ベースのアクセス期間：Ｃｏｎｔｅｎｔｉｏｎ−Ｂａｓｅｄ  Ａｃｃｅｓｓ  Ｐｅｒｉｏｄ）５１２を備える。ＳＰ５１０は、ＰＣＰ／ＡＰ２０２とＳＴＡとの間またはＳＴＡの対（例えば、２０４ａおよび２０４ｂ）間の通信のために予約されたチャネル時間である。ＳＰに属するＳＴＡは、いずれかの他の通信に携わる前、またはいずれかの測定を行う前に、互いにＢＦトレーニングを行わなければならない。ＢＦトレーニングが完了した後、ＳＰに属するＳＴＡ毎に、ＳＰの間の単一ストリーム送信に用いられることになる送信（ＴＸ）アンテナ構成および受信（ＲＸ）アンテナ構成が確定される。
【００１５】
ＷｉＧｉｇ  ＭＡＣは、ＰＢＳＳ／インフラストラクチャＢＳＳ性能を最大にするために、いわゆるＳＰＳＨ（空間共有：Ｓｐａｔｉａｌ  Ｓｈａｒｉｎｇ）メカニズムを導入する。ＷｉＧｉｇ  ＳＰＳＨメカニズムによれば、同じ空間的近傍において異なるＳＴＡに属するＳＰを同じチャネル上で同時にスケジュールすることを許可してもよい。ＳＰＳＨについて他のスケジュールされた（既存）ＳＰとともに評価されるか、または、ＢＩ中の再割り当てが考慮されるＳＰは、候補ＳＰと称される。
【００１６】
図６は、ＢＩ６００内の２つのＳＰの間のＳＰＳＨシナリオの例を説明した図である。ＢＩ６００内のＤＴＩ６０８は、複数のアクセス期間、例えば、第１のＳＰ６１０および第２のＳＰ６１４を備える。第１のＳＰ６１０は、既存ＳＰであると仮定され、例えば、ＳＴＡ２０４ａと２０４ｂとの間の通信のために予約される。第２のＳＰ６１４は、候補ＳＰであると仮定され、例えば、ＳＴＡ２０４ｃと２０４ｄとの間の通信のために予約される。候補ＳＰ６１４は、ＢＩ６００内の同じチャネル上で既存ＳＰ６１０と時間的に重なるようにスケジュールされる。
【００１７】
図７は、先行技術による既存ＳＰ６１０と候補ＳＰ６１４との間のＳＰＳＨを確立するための方法７００を説明したフローチャートである。候補ＳＰ６１４は、ＳＰＳＨ評価が開始される前にはチャネル時間が割り当てられなかったと仮定される。図８は、方法７００によるＰＣＰ／ＡＰ２０２と候補ＳＰ６１４に属するＳＴＡとの間のメッセージ交換を説明した図である。
【００１８】
方法７００は、ステップ７０２でＳＰＳＨ評価を開始する。ステップ７０４において、ＰＣＰ／ＡＰ２０２は、既存ＳＰ６１０とのＳＰＳＨが確立する可能性を評価することを目的として測定を行うことをリクエストするために、候補ＳＰ６１４に属する各ＳＴＡ（すなわち、２０４ｃおよび２０４ｄ）へ測定リクエストメッセージ８０２を送信する。測定リクエストメッセージ８０２は、後で詳述する、リクエストされる測定に関する測定設定情報を運ぶ。ステップ７０６において、測定リクエストメッセージ８０２を受信した後、リクエストされた各ＳＴＡは、測定リクエストメッセージ８０２における測定設定情報に従って測定を実行する。留意すべきは、リクエストされたＳＴＡ（例えば、２０４ｃ）が、候補ＳＰ６１４に属するターゲットＳＴＡ（例えば、２０４ｄ）からフレームを受信するときに用いるのと同じＲＸアンテナ構成を利用して測定を実行する。ステップ７０８において、リクエストされた各ＳＴＡは、測定レポートメッセージ８０４を用いて測定の結果をＰＣＰ／ＡＰ２０２へフィードバックする。ステップ７１０において、ＰＣＰ／ＡＰ２０２は、測定の結果に基づいて既存ＳＰ６１０と候補ＳＰ６１４との間のＳＰＳＨを行うべきかどうかを決定する。方法７００は、ステップ７１２で停止する。
【００１９】
図１０は、測定リクエストメッセージ８０２のフォーマットの例を説明した図であり、このフォーマットは、運用クラスフィールド１００２、チャネル番号フィールド１００４、ＡＩＤフィールド１００６、測定方法フィールド１０１０、測定開始時刻フィールド１０１２、測定継続時間フィールド１０１４、時間ブロックの数フィールド１０１６および任意部分要素フィールド１０１８を備える。運用クラスフィールド１００２およびチャネル番号フィールド１００４は、リクエストされる測定の適用対象となるチャネルセットおよびＣＮをそれぞれ指示する。すなわち、運用クラスフィールド１００２は、チャネル番号フィールド１００４と測定チャネルとを指定する。ＡＩＤフィールド１００６は、ターゲットＳＴＡを指示し、リクエストされる測定において、どの特定のＲＸアンテナ構成を用いるべきかを示唆する。測定方法フィールド１０１０は、測定を実行して、例えば、ＡＮＩＰＩ（平均雑音および干渉電力インジケータ：Ａｖｅｒａｇｅ  Ｎｏｉｓｅ  ｐｌｕｓ  Ｉｎｔｅｒｆｅｒｅｎｃｅ  Ｐｏｗｅｒ  Ｉｎｄｉｃａｔｏｒ）を測定レポートメッセージ８０４で折り返し報告するために、リクエストされたＳＴＡによって用いられることになる方法を指示する。測定開始時刻フィールド１０１２は、リクエストされる測定が開始する時刻を指示する。測定継続時間フィールド１０１４は、リクエストされる測定の継続時間を指示する。測定リクエストメッセージ８０２における測定開始時刻フィールド１０１２と測定継続時間フィールド１０１４との関係が図９に示される。時間ブロックの数フィールド１０１６は、測定継続時間内の時間ブロックの数を指示し、各時間ブロックの継続時間は同じである。測定開始時刻フィールド１０１２は、測定継続時間フィールド１０１４および時間ブロックの数フィールド１０１６と、リクエストされる測定に関する測定タイミング情報と、を提供する。任意部分要素フィールド１０１８は、ゼロ以上の部分要素を含み、機能拡張のために使用できる。
【００２０】
図１１は、測定レポートメッセージ８０４のフォーマットの例を説明した図であり、このフォーマットは、運用クラスフィールド１１０２、チャネル番号フィールド１１０４、ＡＩＤフィールド１１０６、測定方法フィールド１１１０、測定開始時刻フィールド１１１２、測定継続時間フィールド１１１４、時間ブロックの数フィールド１１１６、時間ブロックに関する複数の測定フィールド１１１８および任意部分要素フィールド１１２０を備える。運用クラスフィールド１１０２およびチャネル番号フィールド１１０４は、測定が適用される対象となるチャネルセットおよびＣＮをそれぞれ指示する。ＡＩＤフィールド１１０６は、ターゲットＳＴＡを指示する。測定方法フィールド１１１０は、測定を実行するためにＳＴＡによって用いられた方法を指示する。測定開始時刻フィールド１１１２は、測定が開始した時刻を指示する。測定継続時間フィールド１１１４は、測定の継続時間を指示する。時間ブロックの数フィールド１１１６は、測定継続時間内の時間ブロックの数を指示する。時間ブロックに関する測定フィールド１１１８のそれぞれは、特定の時間ブロックにわたる測定の結果を指示する。時間ブロックに関する測定フィールド１１１８のフォーマットは、測定方法フィールド１１１０によって指定される。任意部分要素フィールド１１２０は、ゼロ以上の部分要素を含み、機能拡張のために使用できる。
【００２１】
図１２は、６０ＧＨｚｍｍＷ周波数帯域における２階層チャネル化の例を説明した図である。第１階層では、６０ＧＨｚｍｍＷ周波数帯域は、図１に示される１階層チャネル化と同じ方法でそれぞれがＣＢＷ＝２．１６ＧＨｚである４つのチャネルに分割される。第２階層では、６０ＧＨｚｍｍＷ周波数帯域は、それぞれがＣＢＷ＝４．３２ＧＨｚである２つのチャネルに区分される。ＣＮ＝５および６をもつチャネルは、それぞれ５９．４ＧＨｚおよび６３．７２ＧＨｚを中心とする。周波数範囲の観点から、ＣＮ＝１および２に対応する第１階層チャネルは、ＣＮ＝５に対応する第２階層チャネルによってカバーされる。ＣＮ＝５に対応する第２階層チャネルの視点から、ＣＮ＝１に対応するチャネルは、プライマリ第１階層チャネルと呼ばれ、ＣＮ＝２に対応するチャネルは、セカンダリ第１階層チャネルと呼ばれる。同様に、ＣＮ＝６に対応する第２階層チャネルの視点から、ＣＮ＝３に対応するチャネルは、プライマリ第１階層チャネルと呼ばれ、ＣＮ＝４に対応するチャネルは、セカンダリ第１階層チャネルと呼ばれる。
【００２２】
図１３は、図１２に示される２階層チャネル化に基づく集中型ＷｉＧｉｇネットワーク１３００の例を説明した図である。集中型ＷｉＧｉｇネットワーク１３００は、第２階層チャネルまたは対応するプライマリ第１階層チャネル上のＭＩＭＯ（多入力多出力：Ｍｕｌｔｉｐｌｅ  Ｉｎｐｕｔ  Ｍｕｌｔｉｐｌｅ  Ｏｕｔｐｕｔ）送信をサポートし、複数のＳＴＡ１３０４およびＳＴＡ機能を同様に含んだＰＣＰ／ＡＰ１３０２を備える。ＰＣＰ／ＡＰ１３０２は、第２階層チャネル（例えば、ＣＮ＝５）上のＭＩＭＯ通信リンク１３１２または対応するプライマリ第１階層チャネル（例えば、ＣＮ＝１）上のＭＩＭＯ通信リンク１３１４を通じて、１つのＳＴＡ（例えば、１３０４ｅ）と通信できる。同様に、ＳＴＡの１つ（例えば、１３０４ｃ）は、第２階層チャネル上のＭＩＭＯ通信リンク１３２２または対応するプライマリ第１階層チャネル上のＭＩＭＯ通信リンク１３２４を通じて、別の１つのＳＴＡ（例えば、１３０４ｄ）と通信できる。
【００２３】
図１４は、集中型ワイヤレスネットワーク１３００におけるＳＴＡ（例えば、１３０４ｄ）とそのターゲットＳＴＡ（例えば、１３０４ｃ）との間のＭＩＭＯ送信の例を説明した図あり、ＳＴＡ１３０４ｃは、ＭＩＭＯ信号の送信側であると仮定され、ＳＴＡ１３０４ｄは、ＭＩＭＯ信号の受信側であると仮定される。ＳＴＡ１３０４ｃは、複数のＴＸアンテナ構成を用いて一斉に複数の空間ストリームを送信し、これらの空間ストリームは、ＳＴＡ１３０４ｄにより、複数のＲＸアンテナ構成を用いて同時に受信される。ＭＩＭＯ送信に用いられるＳＴＡ１３０４ｃのための複数のＴＸアンテナ構成およびＳＴＡ１３０４ｄのための複数のＲＸアンテナ構成は、ＳＴＡ１３０４ｄとそのターゲットＳＴＡ１３０４ｃとの間の事前のＭＩＭＯアンテナビームトレーニングを通じて得ることができる。注目すべきは、異なるチャネルでは、ＭＩＭＯ送信に用いられるＳＴＡ１３０４ｃのための複数のＴＸアンテナ構成およびＳＴＡ１３０４ｄのための複数のＲＸアンテナ構成も異なりうることである。
【００２４】
図１５は、集中型ＷｉＧｉｇネットワーク１３００におけるＰＣＰ／ＡＰ１３０２のアーキテクチャの例を説明したブロック図である。ＰＣＰ／ＡＰ１３０２は、コントローラ１５０２、スケジューラ１５０４、メッセージジェネレータ１５０８、メッセージ演算部１５０６、ＰＨＹ演算部１５１０および複数のアンテナ１５１２を備える。コントローラ１５０２は、ＭＡＣプロトコルコントローラであり、一般的なＭＡＣプロトコル動作を制御する。スケジューラ１５０４は、チャネルアクセス期間の割り当てをコントローラ１５０２の制御の下でスケジュールする。メッセージ生成部１５０８は、スケジューラ１５０４からスケジューリング情報を受信して、対応する制御、データまたは管理メッセージ、例えば、ビーコンを生成し、これらのメッセージは、ＰＨＹ演算部１５１０によるＰＨＹ処理後に複数のアンテナ１５１２を通して送信される。一方、メッセージ演算部１５０６は、複数のＳＴＡ１３０４から受信されたメッセージを解析して、それらをコントローラ１５０２へ供給する。図３におけるそれらの対応物と比較して、コントローラ１５０２、スケジューラ１５０４、メッセージ生成部１５０８、メッセージ演算部１５０６およびＰＨＹ演算部１５１０などの機能ブロックは、ＭＩＭＯ送信および複数のチャネル帯域幅をサポートすることができるように、機能的に拡張および強化される。
【００２５】
図１６は、集中型ＷｉＧｉｇネットワーク１３００におけるＳＴＡ１３０４の構成の例を説明したブロック図である。複数のＳＴＡ１３０４のそれぞれは、コントローラ１６０２、メッセージ生成部１６０４、メッセージ演算部１６０６、ＰＨＹ演算部１６０８および複数のアンテナ１６１０を備える。コントローラ１６０２は、ＭＡＣプロトコル制御部であり、一般的なＭＡＣプロトコル動作を制御する。メッセージ生成部１６０４は、制御、データまたは管理メッセージを制御部１６０２の制御の下で生成し、これらのメッセージは、ＰＨＹ演算部１６０８によるＰＨＹ処理後に複数のアンテナ１６１０を通して送信される。一方、メッセージ演算部１６０６は、ＰＣＰ／ＡＰ１３０２から受信された制御、データまたは管理メッセージをコントローラ１６０２の制御の下で解析して、それらをコントローラ１６０２へ供給する。図４におけるそれらの対応物と比較して、コントローラ１６０２、メッセージジェネレータ１６０４、メッセージ演算部１６０６およびＰＨＹ演算部１６０８などの機能ブロックは、ＭＩＭＯ送信および複数のチャネル帯域幅をサポートすることができるように、機能的に拡張および強化される。
【００２６】
この開示によって、ＰＣＰ／ＡＰ１３０２は、第２階層チャネルおよび対応するプライマリ第１階層チャネル上の両方のチャネル品質について正確な情報を得ることができ、その結果、測定結果から適切にＳＰＳＨを決定することが可能である。
【００２７】
本開示の様々な実施形態が添付図面を参照して詳細に記載される。以下の記載では、明確さおよび簡潔さのために、本明細書に組み込まれる既知の機能および構成の詳細な記載は省略されている。
【００２８】
＜第１の実施形態＞
図１８は、本開示の第１の実施形態による既存ＳＰ１７１０と候補ＳＰ１７１２との間のＳＰＳＨ（図１７）を確立するための方法１８００を説明したフローチャートである。候補ＳＰ１７１２は、ＳＰＳＨ評価が開始される前にはチャネル時間が割り当てられなかったと仮定する。図１９は、方法１８００によるＳＰＳＨに関わるＰＣＰ／ＡＰ１３０２とＳＴＡとの間のメッセージ交換を説明した図である。
【００２９】
方法１８００は、ステップ１８０２でＳＰＳＨ評価を開始する。ステップ１８０４において、ＰＣＰ／ＡＰ１３０２は、既存ＳＰ１７１０が置かれた第２階層チャネル（例えば、ＣＮ＝５）に対応するプライマリ第１階層チャネル（すなわち、ＣＮ＝１）上で測定を行うことをリクエストするために、候補ＳＰ１７１２に属する各ＳＴＡ（すなわち、１３０４ｅおよび１３０４ｆ）へ第１の測定リクエストメッセージ１９０２を送信する（図１７  １７ｂ）。第１の測定リクエストメッセージ１９０２は、プライマリ第１階層チャネル上の測定に関する測定設定情報を含む。測定チャネル、測定方法および測定タイミングに加えて、測定設定情報は、複数のＲＸアンテナ構成を用いて同時に行われる測定の数、および複数の同時測定の結果を後続の第１の測定レポートメッセージ１９０６で報告するための方法も含む。
【００３０】
ステップ１８０６において、ＰＣＰ／ＡＰ１３０２は、同じ第２階層チャネルに対応するセカンダリ第１階層チャネル（すなわち、ＣＮ＝２）上で測定を行うことをリクエストするために、候補ＳＰ１７１２に属する各ＳＴＡ（すなわち、１３０４ｅおよび１３０４ｆ）へ第２の測定リクエストメッセージ１９０４を送信する。第２の測定リクエストメッセージ１９０４は、セカンダリ第１階層チャネル上の測定に関する測定設定情報を含む。
【００３１】
ステップ１８０８において、各リクエストされたＳＴＡ（すなわち、１３０４ｅおよび１３０４ｆ）は、図２０に説明されるように、既存ＳＰ１７１０の一部に対応するプライマリ第１階層チャネル上の測定に割り当てられた時間ブロックの期間に、それぞれ複数のＲＸ（受信）アンテナ構成を用いて同時に複数の測定を実行する。留意すべきは、リクエストされたＳＴＡ（例えば、１３０４ｅ）が、そのターゲットＳＴＡ（すなわち、１３０４ｆ）から同じチャネル上でＭＩＭＯ送信を受信する場合に使用するアンテナと同じ複数のＲＸアンテナ構成を利用してプライマリ第１階層チャネル上の複数の同時測定を実行することである。
【００３２】
ステップ１８１０において、各リクエストされたＳＴＡ（すなわち、１３０４ｅおよび１３０４ｆ）は、図２０に説明されるように、既存ＳＰ１７１０の別の部分に対応するセカンダリ第１階層チャネル上の測定に割り当てられた時間ブロックの期間に、それぞれ複数のＲＸアンテナ構成を用いて同時に複数の測定を実行する。留意すべきは、リクエストされたＳＴＡ（例えば、１３０４ｅ）が、そのターゲットＳＴＡ（すなわち、１３０４ｆ）から同じチャネル上でＭＩＭＯ送信を受信する場合に使用するアンテナと同じ複数のＲＸアンテナ構成を利用してセカンダリ第１階層チャネル上の複数の測定を実行することである。
【００３３】
ステップ１８１２において、各リクエストされたＳＴＡは、第１の測定リクエストメッセージ１９０２に含まれる測定設定情報に従い、第１の測定レポートメッセージ１９０６を用いて、プライマリ第１階層チャネル上の複数の同時測定の結果をＰＣＰ／ＡＰ１３０２へフィードバックする。ステップ１８１４において、各リクエストされたＳＴＡは、第２の測定リクエストメッセージ１９０４で運ばれる測定設定情報に従い、第２の測定レポートメッセージ１９０８を用いて、セカンダリ第１階層チャネル上の複数の同時測定の結果をＰＣＰ／ＡＰ１３０２へフィードバックする。
【００３４】
本開示によれば、複数の同時測定の結果を報告するための様々な方法がある。第１の方法では、時間ブロックの期間の複数の同時測定の結果が個別に報告される。第２の方法では、時間ブロックの期間の複数の同時測定の結果の平均が報告される。第３の方法では、時間ブロックの期間の複数の同時測定の結果の加重平均が報告される。この第３の方法では、ＲＸアンテナ構成の重み係数がＭＩＭＯアンテナビームトレーニングの間のＲＸアンテナ構成に関連する受信信号品質に依存する。ＲＸアンテナ構成による受信信号品質が良好なほど、その重み係数が大きい。第１の方法と比較して、第２の方法および第３の方法の両方は、はるかに短い測定レポートを有する。しかし、第１の方法は、はるかに詳細な測定結果を提供できる。
【００３５】
ステップ１８１６において、ＰＣＰ／ＡＰ１３０２は、第１の測定レポートメッセージ１９０６および第２の測定レポートメッセージ１９０８で運ばれた測定の結果に基づいて、既存ＳＰ１７１０と候補ＳＰ１７１２との間のＳＰＳＨをどのように確立するかを確定する。方法１８００は、ステップ１８１８で停止する。
【００３６】
本開示の第１の実施形態によれば、測定レポートを受信した後、各リクエストされたＳＴＡは、複数のＲＸアンテナ構成を用いて同時に複数の測定を行う必要がある。従って、従来の方法７００によって被る測定結果に関する齟齬を回避できる。
【００３７】
本開示の第１の実施形態によれば、ＰＣＰ／ＡＰ１３０２は、第２階層チャネルに対応するプライマリ第１階層チャネルおよびセカンダリ第１階層チャネル上の両方のチャネル品質について正確な情報を得ることができ、その情報から第２階層チャネル上のチャネル品質をさらに評価することが可能であり、その結果、既存ＳＰ１７１０と候補ＳＰ１７１２との間のＳＰＳＨに関して適切な決定を行うことができる。
【００３８】
図２１は、本開示の第１の実施形態による測定リクエストメッセージ１９０２（または１９０４）のフォーマットの例を説明した図である。測定リクエストメッセージ１９０２は、運用クラスフィールド２１０２、チャネル番号フィールド２１０４、ＡＩＤフィールド２１０６、測定設定フィールド２１０８、測定方法フィールド２１１０、測定開始時刻フィールド２１１２、測定継続時間フィールド２１１４、時間ブロックの数（Ｍ）フィールド２１１６および任意部分要素フィールド２１１８を備える。測定設定フィールド２１０８を除いて、他のフィールドは、図１０に示される測定リクエストメッセージ８０２におけるそれらの対応するフィールドと同様の方法で定義できる。
【００３９】
測定設定フィールド２１０８は、さらに同時測定の数（Ｎ）フィールド２１２２および測定レポート方法フィールド２１２４を備える。同時測定の数（Ｎ）フィールド２１２２は、リクエストされる測定のために複数のＲＸアンテナ構成を用いて同時に実施される測定数を指示する。測定レポート方法フィールド２１２４は、Ｎ個の同時測定の結果が、後続の測定レポートメッセージにおいて、報告される方法を指示する。
【００４０】
図２２は、本開示の第１の実施形態による測定レポートメッセージ１９０６（または１９０８）のフォーマットの例を説明した図である。測定レポートメッセージ１９０６は、運用クラスフィールド２２０２、チャネル番号フィールド２２０４、ＡＩＤフィールド２２０６、測定設定フィールド２２０８、測定方法フィールド２２１０、測定開始時刻フィールド２２１２、測定継続時間フィールド２２１４、時間ブロックの数（Ｍ）フィールド２２１６、複数の時間ブロックに関する測定フィールド２２１８および任意部分要素フィールド２２２０を備える。測定設定フィールド２２０８を除いて、他のフィールドは、図１１に示される測定レポートメッセージ８０４における、それらの対応するフィールドと同様の方法で定義できる。
【００４１】
測定設定フィールド２２０８は、さらに同時測定の数（Ｎ）フィールド２２２２および測定レポート方法フィールド２２２４を備える。同時測定の数（Ｎ）フィールド２２２２は、複数のＲＸアンテナ構成を用いて同時に実施された測定の数を通知する。測定レポート方法フィールド２２２４は、Ｎ個の同時測定の結果が、この測定レポートメッセージにおいて、報告される方法を通知する。
【００４２】
測定レポートメッセージの測定レポート方法フィールド２２２４が、時間ブロックの期間のＮ個の同時測定の結果が個別に報告されることを通知する場合は、第１のＲＸアンテナ構成に対応する測定結果が、同じ測定レポートメッセージの複数の時間ブロックに関する測定フィールド２２１８に含まれる。残りの（Ｎ−１）個のＲＸアンテナ構成に対応する測定結果は、同じ測定レポートメッセージのいわゆる拡張された測定レポート部分要素で運ばれる。
【００４３】
測定レポートメッセージの測定レポート方法フィールド２２２４が、時間ブロックの期間のＮ個の同時測定の結果の平均が報告されることを通知する、または、時間ブロックの期間のＮ個の同時測定の結果の加重平均が報告されることを通知する場合は、Ｎ個のＲＸアンテナ構成に対応する測定結果が同じ測定レポートメッセージの複数の時間ブロックに関する測定フィールド２２１８に完全に含まれる。
【００４４】
図２３は、本開示の第１の実施形態による拡張された測定レポート部分要素のフォーマットの例を説明した図であり、このフォーマットは、部分要素ＩＤフィールド２３０２、長さフィールド２３０４およびデータフィールド２３０６を備える。データフィールド２３０６は、さらに（Ｎ−１）×Ｍ個の時間ブロックに関する測定フィールドを備え、それぞれがＭ個の時間ブロックに関する測定フィールドをもつ（Ｎ−１）個のグループに分割できる。各グループは、測定に用いられた具体的なＲＸアンテナ構成に対応する。例えば、グループ２３１２は、第２のＲＸアンテナ構成に対応し、グループ２３１４は、Ｎ番目のＲＸアンテナ構成に対応する。
【００４５】
図２１を参照すると、本開示の第１の実施形態によれば、セカンダリ第１階層チャネル上の測定のための第２の測定リクエストメッセージ１９０４（または第２の測定レポートメッセージ１９０８）における測定開始時刻フィールド２１１２は、プライマリ第１階層チャネル上の測定のための第１の測定リクエストメッセージ１９０２（または第１の測定レポートメッセージ１９０６）におけるＴｃｓ＋測定開始時刻フィールド２１１２＋測定継続時間フィールド２１１４より遅く、Ｔｃｓは、チャネルを切り替えて受信機を再構成するための時間を考慮し、Ｔｃｓの値は、予め決定されるか、または設定で変えられるかのいずれかである。その一方で、プライマリおよびセカンダリ第１階層チャネル上の測定のうちの測定結果の一貫性を保つために、測定設定フィールド２１０８、測定方法フィールド２１１０、測定継続時間フィールド２１１４および時間ブロックの数（Ｍ）フィールド２１１６は、第１の測定リクエストメッセージ１９０２（または第１の測定レポートメッセージ１９０６）と第２の測定リクエストメッセージ１９０４（または第２の測定レポートメッセージ１９０８）とにおいて、同じ値とする。各時間ブロックの継続時間も、第１の測定リクエストメッセージ１９０２（または第１の測定レポートメッセージ１９０６）と第２の測定リクエストメッセージ１９０４（または第２の測定レポートメッセージ１９０８）とで同じ時間とする。
【００４６】
本開示の第１の実施形態によれば、ＳＰＳＨ方法１８００には代替手段が存在する。例えば、ステップ１８０６において、ＰＣＰ／ＡＰ１３０２は、セカンダリ第１階層チャネルの代わりに第２階層チャネル上で測定を行うように候補ＳＰ１７１２に属する各ＳＴＡにリクエストできる。結果として、ＰＣＰ／ＡＰ１３０２は、第２階層チャネルおよび対応するプライマリ第１階層チャネル上のチャネル品質について正確な情報を直接に得ることができ、その結果、既存ＳＰ１７１０と候補ＳＰ１７１２との間のＳＰＳＨに関して適切な決定を行うことが可能である。しかしながら、そのセカンダリ第１階層チャネルの代わりに第２階層チャネルを用いると、より長いＴｃｓをもたらすことがある。
【００４７】
＜第２の実施形態＞
図２４は、本開示の第２の実施形態による既存ＳＰ１７１０と候補ＳＰ１７１２との間のＳＰＳＨを確立するための方法２４００を説明したフローチャートである。候補ＳＰは、ＳＰＳＨ評価が開始される前にはチャネル時間が割り当てられなかったと仮定する。図２５は、方法２４００によるＳＰＳＨに関わるＰＣＰ／ＡＰ１３０２とＳＴＡとの間のメッセージ交換を説明した図である。
【００４８】
方法２４００は、ステップ２４０２でＳＰＳＨ評価を開始する。ステップ２４０４において、ＰＣＰ／ＡＰ１３０２は、第２階層チャネル（例えば、ＣＮ＝５）のプライマリ第１階層チャネル（すなわち、ＣＮ＝１）およびセカンダリ第１階層チャネル（すなわち、ＣＮ＝２）上の両方で測定を行うことをリクエストするために、候補ＳＰ１７１２に属する各ＳＴＡ（すなわち、１３０４ｅまたは１３０４ｆ）へ測定リクエストメッセージ２５０２を送信する。測定リクエストメッセージ２５０２は、第２階層チャネルのプライマリおよびセカンダリ第１階層チャネル上の測定に関する測定設定情報を運ぶ。測定チャネル、測定方法および測定タイミングに加えて、測定設定情報は、測定時間ブロックをプライマリ第１階層チャネルとセカンダリ第１階層チャネルとの間で割り当てるための方法、複数のＲＸアンテナ構成を用いて同時に実施される測定の数、後続の測定レポートメッセージ２５０４において複数の同時測定の結果を報告する方法をさらに含む。
【００４９】
ステップ２４０６において、測定リクエストメッセージ２５０２を受信した後、各リクエストされたＳＴＡは、プライマリ第１階層チャネルに割り当てられた時間ブロックの期間に、プライマリ第１階層チャネル上で複数のＲＸアンテナ構成を用いて同時に複数の測定を実行し、かつセカンダリ第１階層チャネルに割り当てられた時間ブロックの期間に、セカンダリ第１階層チャネル上で複数のＲＸアンテナ構成を用いて同時に複数の測定を実行する。時間ブロックは、各チャネル上の測定に等しく割り当てられる。留意すべきは、リクエストされたＳＴＡ（例えば、１３０４ｅ）は、そのターゲットＳＴＡ（すなわち、１３０４ｆ）から同じチャネル上でＭＩＭＯ送信を受信する場合に使用するアンテナと同じ複数のＲＸアンテナ構成を利用してプライマリ第１階層チャネル（またはセカンダリ第１階層チャネル）上で、複数の測定を実行することである。
【００５０】
ステップ２４０８において、リクエストされた各ＳＴＡは、測定リクエストメッセージ２５０２に指示された測定設定情報に従い、測定レポートメッセージ２５０４を用いて、プライマリおよびセカンダリ第１階層チャネル上の複数の同時測定の結果をＰＣＰ／ＡＰ１３０２へ一括して折り返し報告する。
【００５１】
ステップ２４１０において、ＰＣＰ／ＡＰ１３０２は、測定レポートメッセージ２５０４で運ばれた測定の結果に基づいて、既存ＳＰ１７１０と候補ＳＰ１７１２との間のＳＰＳＨをどのように確立するかを決定する。方法２４００は、ステップ２４１２で停止する。
【００５２】
本開示の第２の実施形態によれば、ＰＣＰ／ＡＰ１３０２は、第２階層チャネルに対応するプライマリ第１階層チャネルおよびセカンダリ第１階層チャネル上のチャネル品質について正確な情報を得ることができ、その情報から第２階層チャネル上のチャネル品質をさらに評価することが可能であり、その結果、既存ＳＰ１７１０と候補ＳＰ１７１２との間のＳＰＳＨに関して適切な決定を行うことができる。
【００５３】
本開示の第１の実施形態が２対の測定リクエストおよびレポートメッセージを伴うのに対して、本開示の第２の実施形態は、むしろ１対の測定リクエストおよび測定メッセージを伴う。結果として、本開示の第２の実施形態は、第１の実施形態と比較してチャネル効率を改善する。
【００５４】
本開示の第２の実施形態によれば、ＳＰＳＨ方法２４００には代替手段が存在する。例えば、ステップ２４０４において、ＰＣＰ／ＡＰ１３０２は、そのプライマリおよびセカンダリ第１階層チャネル上の代わりに、第２階層チャネルおよび対応するプライマリ第１階層チャネル上で測定を行うことを候補ＳＰ１７１２に属する各ＳＴＡにリクエストできる。結果として、ＰＣＰ／ＡＰ１３０２は、第２階層チャネルおよび対応するプライマリ第１階層チャネル上のチャネル品質について正確な情報を直接に得ることができ、その結果、既存ＳＰ１７１０と候補ＳＰ１７１２との間のＳＰＳＨに関して適切な決定を行うことが可能である。
【００５５】
図２７は、本開示の第２の実施形態による測定リクエストメッセージ２５０２のフォーマットの例を説明した図であり、このフォーマットは、図２１に示される測定リクエストメッセージ１９０２のフォーマットの拡張と捉えることができる。
【００５６】
測定リクエストメッセージ２５０２は、運用クラスフィールド２７０２、チャネル番号フィールド２７０４、ＡＩＤフィールド２７０６、測定設定フィールド２７０８、測定方法フィールド２７１０、測定開始時刻フィールド２７１２、測定継続時間フィールド２７１４、時間ブロックの数（Ｍ）フィールド２７１６および任意部分要素フィールド２７１８を備える。
【００５７】
測定設定フィールド２７０８は、チャネル制御フィールド２７２２、時間ブロック割り当てパターンフィールド２７２４、同時測定の数（Ｎ）フィールド２７２６および測定レポート方法フィールド２７２８を備える。チャネル制御フィールド２７２２は、測定が単一の第１階層（または第２階層）チャネル上、第２階層チャネルのプライマリおよびセカンダリ第１階層チャネル上の両方、または第２階層チャネルおよび対応するプライマリ第１階層チャネル上で行われるか否かを指示する。時間ブロック割り当てパターンフィールド２７２４は、時間ブロックが、２つのチャネル上の測定に、どのように割り当てられるかを指示し、測定が２つのチャネル上で実施されることをチャネル制御フィールド２７２２が指示する場合に有効である。同時測定の数（Ｎ）フィールド２７２６は、リクエストされる測定に複数のＲＸアンテナ構成を用いて、同時に実施できる測定の数を指示する。測定レポート方法フィールド２７２８は、Ｎ個の同時測定の結果が、後続の測定レポートメッセージにおいて、報告される方法を指示する。
【００５８】
測定が単一の第１階層（または第２階層）チャネル上で行われることをチャネル制御フィールド２７２２が指示する場合、測定リクエストメッセージ２５０２のフォーマットが、図２１に示される測定リクエストメッセージ１９０２のフォーマットと同一であることがわかる。以降、測定が２つのチャネル上で実施されることをチャネル制御フィールド２７２２が指示するための測定リクエストメッセージ２５０２のフォーマットについて記載する。
【００５９】
図２７を参照すると、測定が適用される２つのチャネルは、運用クラスフィールド２７０２、チャネル番号フィールド２７０４およびチャネル制御フィールド２７２２から導出できる。例えば、運用クラスフィールド２７０２およびチャネル番号フィールド２７０４が第２階層チャネルのＣＮ＝５を指定すると仮定する。測定が第２階層チャネルに対応するプライマリ第１階層チャネルおよびセカンダリ第１階層チャネル上の両方で行われることを、チャネル制御フィールド２７２２が指示する場合、測定が適用されるプライマリ第１階層チャネルおよびセカンダリ第１階層チャネルが、それぞれＣＮ＝１およびＣＮ＝２であることが容易に推測される。
【００６０】
図２７を参照すると、ＡＩＤフィールド２７０６は、ターゲットＳＴＡを指示する。測定方法フィールド２７１０は、２つのチャネル上で測定を実行して測定レポートメッセージ２５０４で折り返し報告するために、リクエストされたＳＴＡによって使用される方法を指示する。
【００６１】
測定開始時刻フィールド２７１２は、リクエストされた第１階層チャネルのプライマリチャネル上で測定が開始する時刻を指示する。継続時間フィールド２７１４は、リクエストされる２つのチャネル上の測定の名目上の継続時間を指示する。時間ブロックの数フィールド２７１６は、測定継続時間内の時間ブロックの数を指示し、各時間ブロックの継続時間は同じである。任意部分要素フィールド２７１８は、ゼロ以上の部分要素を含み、機能拡張のために用いることができる。
【００６２】
上述のように、時間ブロック割り当てパターンフィールド２７２４では、時間ブロックが２つのチャネルに、どのように割り当てられるかが指定される。測定が適用される２つのチャネルが、第２階層チャネルのプライマリおよびセカンダリ第１階層チャネルであると仮定される、図２６に示されるように、第１の方法では、プライマリ第１階層チャネルに割り当てられた時間ブロックの後に、Ｔｃｓの間隔と他のチャネルに割り当てられた時間ブロックとが続くことができ、Ｔｃｓは、チャネルを切り替えて受信機を再構成するための時間を考慮し、Ｔｃｓの値は、予め決定されるか、または設定で変えられるか、のいずれかである。第２の方法では、時間ブロックがグループに分けられて、２つのチャネルに択一的に割り当てられ、最初はプライマリ第１階層チャネルのグループであり、近接グループ間の間隔はＴｃｓである。グループにおける時間ブロックの数は、予め決定されるか、または設定で変えられるか、のいずれかとすることができる。第１の方法の観点からは、測定中のチャネル切り替えが一度発生するが、チャネル毎の測定が、全測定継続時間の一部の間に行われるので、チャネル品質評価は正確でないことがある。第２の方法の観点からは、チャネル毎の測定が、全測定継続時間にわたるので、チャネル品質評価はより正確である。しかしながら、測定中のチャネル切り替えおよび受信機の再構成がより頻繁であり、従って、より多くの電力を消費する。
【００６３】
図２６を参照すると、２つのチャネル上の測定のための実際の測定継続時間は、測定継続時間だけでなく、時間ブロック割り当てパターンにも依存する。例えば、プライマリ第１階層チャネルに割り当てられた時間ブロックの後に、他のチャネルに割り当てられた時間ブロックが続くことを時間ブロック割り当てパターンが指示するとき、２つのチャネル上の測定のための実際の測定継続時間は、測定継続時間＋Ｔｃｓに等しい。グループに分けられた時間ブロックが２つのチャネルに択一的に割り当てられることを時間ブロック割り当てパターンが指示するとき、２つのチャネル上の測定のための実際の測定継続時間は、測定継続時間＋Ｔに等しく、Ｔ＝Ｔｃｓ×（時間ブロックグループの数−１）である。
【００６４】
図２８は、本開示の第２の実施形態による測定レポートメッセージ２５０４のフォーマットの例を説明した図であり、このフォーマットは、図２２に示される測定レポートメッセージ１９０６のフォーマットの拡張と捉えることができる。
【００６５】
測定レポートメッセージ２５０４は、運用クラスフィールド２８０２、チャネル番号フィールド２８０４、ＡＩＤフィールド２８０６、測定設定フィールド２８０８、測定方法フィールド２８１０、測定開始時刻フィールド２８１２、測定継続時間フィールド２８１４、時間ブロックの数（Ｍ）フィールド２８１６、複数の時間ブロックに関する測定フィールド２８１８および任意部分要素フィールド２８２０を備える。
【００６６】
測定設定フィールド２８０８は、チャネル制御フィールド２８２２、時間ブロック割り当てパターンフィールド２８２４、同時測定の数（Ｎ）フィールド２８２６および測定レポート方法フィールド２８２８を備える。チャネル制御フィールド２８２２は、測定が単一の第１階層（または第２階層）チャネル上、第２階層チャネルのプライマリおよびセカンダリ第１階層チャネル上の両方、または第２階層チャネルおよびそのプライマリ第１階層チャネル上で行われたか否かを通知する。時間ブロック割り当てパターンフィールド２８２４は、時間ブロックが、２つのチャネル上の測定に、どのように割り当てられたかを通知し、測定が２つのチャネル上で実施されることを、チャネル制御フィールド２８２２が通知するときに有効である。同時測定の数（Ｎ）フィールド２８２６は、測定のために複数のＲＸアンテナ構成を用いて、同時に実施される測定の数を通知する。測定レポート方法フィールド２８２８は、Ｎ個の同時測定の結果が測定レポートメッセージにおいて、報告される方法を通知する。
【００６７】
測定が単一の第１階層（または第２階層）チャネル上で実施されたことをチャネル制御フィールド２８２２が通知するときには、測定レポートメッセージ２５０４のフォーマットが図２２に示される測定レポートメッセージ１９０６のフォーマットと同一であることがわかる。以降、測定が２つのチャネル上で実施されたことを、チャネル制御フィールド２８２２が通知するための測定レポートメッセージ２５０４のフォーマットについて記載する。
【００６８】
図２８を参照すると、測定が適用される２つのチャネルは、運用クラスフィールド２８０２、チャネル番号フィールド２８０４およびチャネル制御フィールド２８２２から導出できる。ＡＩＤフィールド２８０６は、ターゲットＳＴＡを通知する。測定方法フィールド２８１０は、２つのチャネル上で測定を実行するために、リクエストされたＳＴＡによる測定方法を通知する。測定開始時刻フィールド２８１２は、リクエストされたプライマリ第１階層チャネル上の測定が開始した時刻を通知する。測定継続時間フィールド２８１４は、リクエストされた２つのチャネル上の測定の全継続時間を通知する。時間ブロックの数フィールド２８１６は、測定継続時間内の時間ブロックの数を通知する。任意部分要素フィールド２８２０は、ゼロ以上の部分要素を含み、機能拡張のために用いることができる。
【００６９】
測定レポートメッセージの測定レポート方法フィールド２８２８が、時間ブロックの期間のＮ個の同時測定の結果が個別に報告されることを通知する場合は、第１のＲＸアンテナ構成に対応する測定の結果が、同じ測定レポートメッセージの複数の時間ブロックに関する測定フィールド２８１８で運ばれる。残りの（Ｎ−１）個のＲＸアンテナ構成に対応する測定の結果は、同じ測定レポートメッセージの拡張された測定レポート部分要素（図２３を参照）で運ばれる。
【００７０】
測定レポートメッセージの測定レポート方法フィールド２８２８が、時間ブロックの期間のＮ個の同時測定の結果の平均が報告されること、または時間ブロックの期間のＮ個の同時測定の結果の加重平均が報告されること、を通知する場合は、Ｎ個のＲＸアンテナ構成に対応する測定の結果が、同じ測定レポートメッセージの複数の時間ブロックに関する測定フィールド２８１８で運ばれる。
【００７１】
本開示の第１の態様によれば、コーディネータであるＰＣＰ／ＡＰを通じて既存サービス期間と候補サービス期間との間で空間共有を行うための測定方法であって、前記ＰＣＰ／ＡＰにおいて、第１の測定要求に用いられる第１の測定設定情報を生成するステップと、第２階層チャネルの各チャネルに対応するプライマリ第１階層チャネルにおける測定に関する前記第１の測定設定情報を前記候補サービス期間に含まれる端末装置であるＳＴＡへ送信するステップと、を備え、前記第１の測定設定情報は、第１の測定方法、第１の測定開始時刻、第１の測定継続時間、前記第１の測定継続時間内の時間ブロックの第１の数、複数の受信アンテナ構成を用いて行われる同時測定の第１の数、および、前記第１の数の同時測定結果の第１の報告方法、を含み、各時間ブロックの前記第１の測定継続時間は同じ時間である。
【００７２】
本開示の第１の態様によれば、第２の測定リクエストに用いられる第２の測定設定情報を前記ＰＣＰ／ＡＰにおいて生成するステップと、前記第２階層チャネルの前記各チャネルに対応するセカンダリ第１階層チャネルの測定に関する前記第２の測定設定情報を前記ＳＴＡへ送信するステップと、を更に含み、前記第２の測定設定情報は、前記第１の測定方法と同じ測定方法である第２の測定方法、第２の測定開始時刻、前記第１の測定継続時間と同じ時間である第２の測定継続時間、時間ブロックの前記第１の数と同じ数である前記第２の測定継続時間内の時間ブロックの第２の数、同時測定の前記第１の数と同じ数である複数の受信アンテナ構成を用いて行われる同時測定の第２の数、および、前記第１の報告方法と同じ報告方法である前記第２の数の同時測定結果の第２の報告方法、を含み、各時間ブロックの前記第２の測定継続時間は同じ時間である、前記第２の測定開始時刻は、所定時間Ｔｃｓと前記第１の測定開始時刻と前記第１の測定継続時間との合計時刻より遅く、所定時間Ｔｃｓは、第１階層チャネルを切り替えて前記ＳＴＡを再構成することを考慮し、予め決定されるか、または設定で変えられるかいずれかである。
【００７３】
本開示の第１の態様によれば、前記ＳＴＡは、前記第１の測定要求を受信した後、前記第１の測定設定情報に従い、それぞれ複数の受信アンテナ構成を用いて同時に前記プライマリ第１階層チャネル上で複数の測定を行う。
【００７４】
本開示の第１の態様によれば、前記ＳＴＡは、前記第２の測定要求を受信した後、前記第２の測定設定情報に従い、それぞれ複数の受信アンテナ構成を用いて同時に前記セカンダリ第１階層チャネルまたは前記第２階層チャネルのいずれかで複数の測定を行う。
【００７５】
本開示の第１の態様によれば、前記ＰＣＰ／ＡＰは、前記第１の報告方法による第１の測定レポートを前記ＳＴＡから受信するステップをさらに備える。
【００７６】
本開示の第１の態様によれば、前記第１の測定レポートは、前記第１の数の同時測定結果を個別に含む。
【００７７】
本開示の第１の態様によれば、前記第１の測定レポートは、前記第１の数の同時測定結果の平均を含む。
【００７８】
本開示の第１の態様によれば、前記第１の測定レポートは、前記第１の数の同時測定の結果の加重平均を含む。
【００７９】
本開示の第１の態様によれば、前記ＰＣＰ／ＡＰは、前記第２の報告方法による第２の測定レポートを前記ＳＴＡから受信するステップを更に備え、前記第１の測定レポートおよび前記第２の測定レポートの両方に従って、前記既存ＳＰと前記候補ＳＰとの間の空間共有に関して決定を行うステップ、をさらに備える。
【図１】
2020043606.tif 000003
【図２】
2020043606.tif 000004
【図３】
2020043606.tif 000005
【図４】
2020043606.tif 000006
【図５】
2020043606.tif 000007
【図６】
2020043606.tif 000008
【図７】
2020043606.tif 000009
【図８】
2020043606.tif 000010
【図９】
2020043606.tif 000011
【図１０】
2020043606.tif 000012
【図１１】
2020043606.tif 000013
【図１２】
2020043606.tif 000014
【図１３】
2020043606.tif 000015
【図１４】
2020043606.tif 000016
【図１５】
2020043606.tif 000017
【図１６】
2020043606.tif 000018
【図１７】
2020043606.tif 000019
【図１８】
2020043606.tif 000020
【図１９】
2020043606.tif 000021
【図２０】
2020043606.tif 000022
【図２１】
2020043606.tif 000023
【図２２】
2020043606.tif 000024
【図２３】
2020043606.tif 000025
【図２４】
2020043606.tif 000026
【図２５】
2020043606.tif 000027
【図２６】
2020043606.tif 000028
【図２７】
2020043606.tif 000029
【図２８】
2020043606.tif 000030